(57)【要約】本発明は、クラブと少なくとも１つのさらなる挿入可能なアクセサリーを収容する、キャリングハンドルを有するバックタイプコンテナーを本質的に含むゴルフバックに関する。クラブは外縁部周囲に分布された凹部内に配置され、それにより中央キャビティーを形成する。ゴルフバックはまた、ホイール上にトロリーを有し、ハンドルを有する牽引バー、および電気制御を有する。本発明の目的は多くの目的に使用できるゴルフバックを提供することである。このために、クラブ（２）のための凹部は内側チューブ（６）と外側チューブ（７）の間のしきり（８）により分割された小部屋として形成され、いくつかの小部屋（９）は一緒になって開閉ができるフラップ（１８）をコンテナー（５）の長さにわたって形成する。コンテナー（５）はさらにトロリーとして形成され、ホイール（１３）と連結することができるフープ（１１，１１’）が提供され、また電気モーターによってドライブすることができる底部（２５）の上のさらなるホイール（４０）と、上部端および下部端のカバー（２１，２２）が提供されることができ、これらのカバーはバックの上に部分的に引っ張ることができる。コンテナーはさらにスーツケース様の輸送可能なユニットとそれらの中心に伸びる結合（２３）手段により結合されることができる。ホイール（１３＋４０）は上部カバー（２１）および底部カバー（２２）内に収容され、トロリーフープ（１１，１１’）、モーター、およびバッテリー（４１）はコンテナー（５）の内部に収容される。ドライブユニット全体をコンテナー内部に収容することも可能である。
2004521697.tif 000002
【特許請求の範囲】
【請求項１】
クラブと少なくとも１つのさらなる挿入可能なアクセサリーを収容するバックタイプコンテナーを本質的に含むゴルフバックであり、クラブが外縁部周囲に分布された凹部内に配置され、それにより中央キャビティーを形成し、ホイール上にトロリーを有し、ハンドルを有する牽引バーを有し、クラブ（２）のための凹部は内側チューブ（６）と外側チューブ（７）の間のしきり（８）により分割された小部屋として形成され、開閉ができるフラップ（１８）をコンテナー（５）の長さにわたって形成するユニットとしてのいくつかの小部屋（９）を有し、該コンテナー（５）にはフープ（１１，１１’）が提供されることができ、これはトロリーを形成し、ホイール（１３）と連結することができ、底部（２５）にさらなるホイール（４０）を有し、これは電気モーターによってドライブすることができ、上部端および下部端にカバー（２１，２２）が提供されることができ、これらはバックの上に部分的に引っ張ることができ、コンテナーの断面に適合され、中央連結手段（２３）により連結されてスーツケース様の輸送可能なユニットを形成し、ここでホイール（１３＋４０）は底部カバー（２２）内に収容され、トロリーフープ（１１，１１’）、モーター、およびバッテリー（４１）はコンテナー（５）の内部に収容される、ゴルフバック。
【請求項２】
複数の小部屋（９）がコンテナー（５）のレストに対してヒンジ（１９）により、フリップ様に開閉することのできるユニットとして形成され、該ユニットはロッキング機構（２０）の手段によりロックされることができる、請求項１記載のゴルフバック。
【請求項３】
コンテナー（５）がその外縁部周囲に小部屋（９）を有し、たとえば環状の断面を有する、請求項１または２記載のゴルフバック。
【請求項４】
上部カバー（２１）にハンドル（２９）が提供され、たとえば凹部に隠された牽引ロープである、請求項１から３のいずれか１項記載のゴルフバック。
【請求項５】
底部カバー（２２）にさらに２つのローラー（３０）が提供され、互いに離れて配置される、請求項１から４のいずれか１項記載のゴルフバック。
【請求項６】
５，６，７，８，２１，２２の本質的部分がプラスチックもしくは軽金属、またはそれらの組み合わせにより作られる、請求項１から５のいずれか１項記載のゴルフバック。
【請求項７】
コンテナー（５）の内部に、たとえばバックおよびポケット内部にアクセサリーを保持するために、サスペンジョンデバイス（３２）が提供される、請求項１から６のいずれか１項記載のゴルフバック。
【請求項８】
コンテナー（５）の中心を通る連結（２３）が、たとえばウイングナットの形態の、スクリュー連結（３３，３４）を、底部カバー（２２）の下と上部カバー（２１）の上で有する、請求項１から７のいずれか１項記載のゴルフバック。
【請求項９】
コンテナー（５）の中心を通る連結（２３）が２つの部分に分割され、カフ（２２）と糸により、ぴんと張ることができるように形成される、請求項１から８のいずれか１項記載のゴルフバック。
【請求項１０】
トロリーとして提供され、開放可能なホイール（１３）を有するフープ（１１，１１’）が、２つの部分で形成される、請求項１から９のいずれか１項記載のゴルフバック。
【請求項１１】
キャリングハンドル（３５）がさらにコンテナー（５）の上に提供される、請求項１から１０のいずれか１項記載のゴルフバック。
【請求項１２】
閉じられたユニットの輸送の間、たとえばウッドのような長いクラブ（２２）を収容するために、コンテナー（５）の底部（２５）内に閉鎖可能な開口（２６）が提供され、これがホイール（１３）のスポークの間の開口（３７）に対応している、請求項１から１１のいずれか１項記載のゴルフバック。
【請求項１３】
クラブと少なくとも１つのさらなる挿入可能なアクセサリーを収容するバックタイプコンテナーを本質的に含むゴルフバックであり、クラブが外縁部周囲に分布された凹部内に配置され、それにより中央キャビティーを形成し、ホイール上にトロリーを有し、ハンドルを有する牽引バーを有し、クラブ（２）のための凹部はコンテナー（５）を形成する外縁部周囲に配置されたチューブ（１０）として形成され、コンテナー（５）にはフープ（１１，１１’）が提供されることができ、これはトロリーとして形成され、ホイール（１３）と連結することができ、底部（２５）にさらなるホイール（４０）を有し、これは電気モーターによってドライブすることができ、上部端および下部端にカバー（２１，２２）が提供されることができ、これらはバックの上に部分的に引っ張ることができ、コンテナーの断面に適合され、中央連結手段（２３）により連結されてスーツケース様の輸送可能なユニットを形成することができ、ここでホイール（１３＋４０）は底部カバー（２２）内に収容され、トロリーフープ（１１，１１’）、モーター、およびバッテリー（４１）はコンテナー（５）の内部に収容される、ゴルフバック。
【請求項１４】
チューブ（１０）が上部および下部フレーム（３，４）と結合され、該フレーム（３，４）の外側には、チューブ（１０）を保持するために半環状の凹部（２４）が提供される、請求項１３記載のゴルフバック。
【請求項１５】
ユニットを形成するために追加のフープ（２８）により結合された複数のチューブ（１０）が、ヒンジ（１９）によりフリップ様に開閉できるように配置され、ロッキング機構（２０）によりコンテナー（５）と結合されるように形成される、請求項１３または１４項記載のゴルフバック。
【請求項１６】
望遠鏡のような態様でチューブ（１０）または小部屋（９）内に押し込んだり引っ張り出したりでき、回転手段により所定位置にロックされる牽引バー（１５）にハンドル（１６）が提供される、請求項１から１５のいずれか１項記載のゴルフバック。
【請求項１７】
コンテナー（５）の外側にマント（３１）が提供される、請求項１から１６のいずれか１項記載のゴルフバック。
【請求項１８】
クラブと少なくとも１つのさらなる挿入可能なアクセサリーを収容するバックタイプコンテナーを本質的に含むゴルフバックであり、クラブが外縁部周囲に分布された凹部内に配置され、それにより中央キャビティーを形成し、ホイール上にトロリーを有し、ハンドルを有する牽引バーを有し、クラブ（２）のための凹部はコンテナー（５）を形成する外縁部周囲に配置されたチューブ（１０）として形成され、コンテナー（５）にはフープ（１１，１１’）が提供されることができ、これはトロリーとして形成され、ホイール（１３）と連結することができ、底部（２５）にさらなるホイール（４０）を有し、これは電気モーターによってドライブすることができ、上部端および下部端にカバー（２１，２２）が提供されることができ、これらはバックの上に部分的に引っ張ることができ、コンテナーの断面に適合され、中央連結手段（２３）により連結されてスーツケース様の輸送可能なユニットを形成することができ、ここでホイール（１３＋４０）は上部カバー（２１）内に収容され、トロリーフープ（１１，１１’）、ドライブユニット全体、およびバッテリー（４１）はコンテナー（５）の内部に収容される、ゴルフバック。
【請求項１９】
外縁部周囲にチューブ（１０）を有するコンテナー（５）が、たとえば先がとがった環状の断面を有する、請求項１から１８のいずれか１項記載のゴルフバック。
【請求項２０】
チューブ（１０）が上部および下部フレーム（３，４）と結合され、該フレーム（３，４）の外側には、チューブ（１０）を収容するために環状の凹部（２４）が提供される、請求項１から１８のいずれか１項記載のゴルフバック。
【請求項２１】
望遠鏡のような態様でチューブ（１０）または小部屋（９）内に押し込んだり引っ張り出したりでき、所定位置にロックできる牽引バー（１５）に、ハンドル（１６）、電気制御部（４４）が提供される、請求項１から２０のいずれか１項記載のゴルフバック。
【請求項２２】
種々の物質で作られる保護シースがコンテナー（５）の上に開放可能に固定される、請求項１から２１のいずれか１項記載のゴルフバック。
【請求項２３】
プラグ（５２）内のガイドチューブ（４７）中にカップリング（４８）が収容される、請求項１から２２のいずれか１項記載のゴルフバック。
【請求項２４】
コンテナー（５）内の開口（５０）およびガイドチューブ（４７）内の開口（５５）を通って、ラッチ（５１）が押し込まれたり、引き出されれたりできる、請求項１から２３のいずれか１項記載のゴルフバック。
【請求項２５】
ケーブル（５３）がホルダーチューブ（４６）内の制御部（４４）との連結をもたらす、請求項１から１８のいずれか１項記載のゴルフバック。
【請求項２６】
制御部（４４）がテレスコープバー（１５）上に収容される、請求項１から２５のいずれか１項記載のゴルフバック。
【請求項２７】
バッテリー（４１）がケーブル手段（５３）により制御部（４４）と連結される、請求項１から２６のいずれか１項記載のゴルフバック。
【請求項２８】
ハウジング（４５）がプラスチックからなり、小さなアクセサリーを収容するのに利用できる、請求項１から２７のいずれか１項記載のゴルフバック。
【請求項２９】
ギアモーター（４３）が２つのガイドチューブ（４７）の間に収容される、請求項１から２８のいずれか１項記載のゴルフバック。
【請求項３０】
２つのドライブホイール（４０）がガイドチューブ（４７）の外側で、その中を通るドライブシャフト（５６）の上に収容される、請求項２８記載のゴルフバック。
【請求項３１】
バッテリー（４１）が、コンテナー（５）の内部のシフティングデバイスにより、輸送のための重量シフトを行うことができる、請求項１から３０のいずれか１項記載のゴルフバック。
【発明の詳細な説明】
【技術分野】
【０００１】
本発明は、クラブと少なくとも１つのさらなる挿入可能なアクセサリーを収容するバックタイプコンテナーを本質的に含むゴルフバックに関し、クラブが外縁部周囲に分布された凹部内に配置され、それにより中央キャビティーを形成し、ホイール上にトロリーを有し、ハンドルを有する牽引バーを有するゴルフバックに関する。
【背景技術】
【０００２】
多くのゴルフバックが公知であり、多くの異なる態様が公知である。たとえばいわゆる自立性バックは多くの例に使用され、これは狭い矢筒タイプのクラブ用のコンテナーであり、外側には種種のタイプのポケットが設けられる。さらに、それらはバッグが置かれたときに有用な支持脚を備え、ハンドルだけではなく少なくとも１つのキャリングストラップを有する。そのようなゴルフバックの欠点は、それらが運ばれなければならないという点にある。運搬を容易にするため、それらは多大な貯蔵スペースを有さず、支持脚に大きな圧力をもたらし、繰り返し置かれるためにこの圧力が破壊をもたらす。
【０００３】
ゴルフコースにおいて最も一般的に使用されるゴルフバックの形態は、ゆったりとした、バッグタイプのコンテナーであり、クラブが収容され、ジッパーで開閉される多くのポケットが外側に提供され、いわゆるトロリーに連結されることができ、簡単な手段により、すなわち引っ張ることのできるユニットにより移動可能としている。トロリーまたはゴルフカートは、ホイールを有するシャーシおよびハンドルを有する牽引バーから本質的になり、少なくともいくつかの態様においては、比較的簡単に個々の部品に分解することができる。
【０００４】
さらに、種々の態様において、トロリーをひっぱり、または押す工程を補助するために電気デバイスが公知である。ホイールはバッテリーでドライブされるモーターに取り付けられる。
運搬または運転することのできるゴルフバックに加え、以下に述べるような特殊な態様のゴルフバックも公知であると認められる。
【０００５】
ドイツ特許２９９１９１５８Ｕ１は、ゴルフバックと他の道具を収容するゴルフバックを開示する。これは中空のセグメントにより形成された複数のクラブホルダー要素と、貯蔵キャビティーをとり囲むバック本体により形成され、このようにして形成された側壁が少なくとも２つのセグメントを有し、これは互いに開放可能に連結され、しっかりと連結されたクラブホルダー要素を有する。このゴルフバックは、１つのセグメントにより側壁においてコルフカートと（開放可能に）連結されることができる。
ドイツ特許３７０５１８７Ａ１は、ゴルフバックであって、複数の部品を有し、連結されてスーツケース状の運搬可能なユニットを形成でき、ホイールとシャーシフープが旋回し、コンテナーに対して同じ高さに横になることができるものを開示する。
ドイツ特許３７１４０６６Ｃ２は、電気ドライブユニットを有するゴルフカートを開示する。ここでモーターとバッテリーはコンテナー内部に収容され、両方のホイールをドライブする。
【０００６】
しかし、ゴルフは常に一つのホームゴルフコースでプレイするものではなく、近くの、または遠くのゴルフコースでプレイするスポーツであることは否定できない傾向である。ゴルフバックの運搬は特に問題となる。旅行中、一般に使用されるトロリーは露出される。なぜなら、それはすべの運搬手段にとって嵩高く、旅行バックに詰めることができないからである。
【０００７】
一体化されたトロリーを有するゴルフバックは特に困難を有する。特にそれを頻繁に使用する場合には、この傾向は問題となる。トロリーを収容できるようにするため、特にホイールを、バック、コンテナー、またはキャリー本体内に収納するため、複数の連結ロッド、サポート、および連結具が必要とされ、それらは繰り返しの応力に耐えることはできない。
これに対して、本発明はクラブを収容するコンテナーがトロリーと早く簡単に連結でき、牽引可能で電気的に運転されるゴルフカートを与えるゴルフバックであって、クラブとアクセサリーを収容する安定な自立性のコンテナーを有し、該コンテナーは適当な貯蔵スペースを有し、ゴルフバックは実際的で、ハンドル操作が容易で、コンパクトで、旅行に持ってゆける、スーツケースタイプの移動ユニットに、トロリーはじめとする簡単な方法ですることができるゴルフバックを目的とする。
【０００８】
電気ドライブを有するゴルフカートを提供することは簡単に可能である。この目的のために、追加の開放可能なホイールをコンテナーの底部に提供することが必要であり、これは電気モータによりドライブされ、バッテリーとモーターはコンテナー内に収容されることができる。ドライブの操作は、牽引バーのハンドルから行うことができ、対応するケーブルが牽引バーを通して通されることができる。さらに、完全なモバイルユニットが、バックを有する電動または手動のゴルフトロリーの代わりとして、再固定される必要なく操作中に使用されることができることも利点である。
【０００９】
本発明により上記の課題が解決され、クラブは内側チューブと外側チューブとの間のしきり手段により分割された小部屋に、または中央キャビティーに、または外縁部周囲に配置されたチューブ内に収容され、複数の小部屋、すなわち、チューブが開閉できるフラップをコンテナーの長さにわたって形成し、コンテナーにはトロリーとして形成されるフープが提供されることができ、ホイールと連結されることができ、上端および下端のカバーが提供されることができ、該端は部分的にバックの上に引っ張られることができ、コンテナーの断面に適合され、中央の連結手段により連結されることができ、スーツケース様の移動ユニットを形成し、ホイールは２つのカバー内に収容され、トロリーフープはコンテナーの内部に収容される。
【００１０】
本発明の特徴は小部屋、プラスチックまたは軽金属で作られるチューブにおいて見られ、全体のユニットに基づいて、優しいハンドリングとクラブのシークエンスの一定の見かけを提供し、安定な、自立したコンテナーを形成する。本発明のコンテナーはその長さ全体にわたりキャビティーを有し、それは貯蔵スペースとして使用することができ、対応するフラップによりアクセス可能である。
【００１１】
小部屋、チューブから形成されるコンテナーは、いわゆるサンドイッチ構造法により、公知の構成のロッキングデバイスを取り付けることができ、開放可能にホイールとフープとして配置されたトロリーを収容し、牽引可能で、電気的にドライブ可能なゴルフカートが、トロリーを固定し、小部屋内に収容されている、ハンドルを有する望遠鏡タイプの牽引バーを所定の場所にロックすることにより、数分でセットアップ可能である。
【００１２】
一方、ゴルフカートは、上部および底部カバーを引き、中央連結部手段により所定位置に固定することにより、瞬時に、容易に旅行可能な、スーツケース用の移動ユニットにすることができる。ここでは、実用的な方法によりすべての部品がユニット内に収容され、移動ユニットに適当な牽引バー、ハンドル、およびローラーが提供される。本発明の範囲内において、コンテナーの断面およびカバーが有利に構成され、ホイールが２つのカバーの上に収容され、中央結合手段により位置が動かないように固定される。
【００１３】
上部カバーはクラブヘッドを保護し、中央結合手段により所定位置に固定される。しかし、本発明の範囲においては、カバーとコンテナーをスナップ、ベルクロ、または他の布帛により結合し、ユニットを形成することも可能である。たとえばウッドのような長いクラブのクラブヘッドをやさしく、上部カバーを必要以上に大きくすることなく、収容するために、本発明の実施態様では、これらのクラブのシャフトをコンテナーの底部開口とホイールのスポークの間に提供される開口を通す。
【００１４】
コンテナーの所定位置に開放可能にロックされ、トロリーとして配置され、ホイールを有する軸が取り付けられるフープを、コンテナー内に簡単な方法で収容するために、フープは２つの部分で構成される。
【００１５】
本発明の種々の態様が図面に示されるとともに、以下において詳細に説明される。図面は以下を示す。
図１と図１ａは、牽引可能なゴルフカートの側面図である。
図２と図２ａは図１に示されたゴルフカートの背面図である。
図３と図３ａはトロリーとして配置されたフープの図である。
図４はフラップ開口を有するコンテナーの上面図である。
図５と図５ａは組み立てられて輸送ユニットを形成することのできる部品の側面図である。
図６と図６ａは組み立てられた輸送ユニットの側面図と部分的な断面図である。
図７と図８は他の例示の態様の上面図である。
図９と図９ａは、完全な電気ドライブユニットの上面図である。
図１０はコンテナー（５）内の電気ドライブユニットのためのホルダーチューブの上面図である。
図１１は他の例示の態様の上面図である。
【００１６】
図１と図１ａは、例示の実施態様としてのドライブ可能なまたは牽引可能なゴルフバックの側面図を示す。これは本質的にコンテナー５を有し，外縁部周囲に配置された小部屋（９）、トロリーとしてホイール１３を有するフープ１１との組み合わせを含む。図３にフープ１１が詳細に示され、これは２つの部品から構成され、２つのフープ要素１１および１１’を有し、ホイール１３を保持する対応する車軸１２を有する。フープ１１および１１’は開放可能に、公知であると考えられるロッキングデバイス１４の手段によりコンテナー５に結合される。牽引バー１５は、望遠鏡のように引き出すことができるように構成され、回転手段により末端位置に固定され、この態様ではハンドル１６が提供される。さらに、キャリングハンドル３５がコンテナー５に、スーツケースタイプのユニットが運ばれる際にユニットが安定になるように固定される。車軸１２の上に開放可能にセットされることのできるホイール１３は、スポークの間に開口を有する。
【００１７】
図１と１ａ、および図２と２ａにおいて、コンテナー５内に示されたクラブは、番号２で表される。図２の背面図からは、ゴルフをプレイするために必要な、部分的にフラップ様に開くことのできるライティングパッド１７が、牽引バー１５の上、すなわちハンドル（１６）に配置されていることが明らかである。コンテナー５の底部２５に、小さな開口部２７が中心に提供され、そしてたとえば３つの大きな開口２６が提供される。
【００１８】
上面図の図４は、内側チューブ６と外側チューブ７により形成されたコンテナー５を示し、これはしきり８を有し、クラブ２および他の挿入可能なアクセサリーを収容する。コンテナー５は環状の断面を有し、たとえばその長さ方向にフラップ１８が提供され、それはたとえば内側に位置する少なくとも１つのヒンジ１９によりフリップ様に開閉し、たとえば内側に位置する対応するロック機構２０によりロツクされることができる。フラップ１８は複数の小部屋９により形成される。
【００１９】
図５と５ａの側面図において、本質的な部品、特にコンテナー５およびカバー２１および２２が、組み立てられていない状態で示される。上部カバー２１はロープハンドルを有し、たとえば牽引ハンドル２９としてしまわれることができ、これを使用して図６のスーツケースタイプのユニットを手で引くことができる。これに関連して、複数のローラー３０が底部カバー２２の上に提供され、互いに離れて配置されることが重要である。さらに、連結具（２３）を保持するための開口２７、２７’および３９が、２つのカバー２１および２２，並びにコンテナーの底部２５に設けられる。
【００２０】
図６と６ａでは、本質的なそれぞれの部品５、２１、および２２が、中央に配置された連結具（２３）により互いに連結され、スーツケースタイプの輸送ユニットを形成する。図示されていない他の例示の実施態様によれば、カバー２１，２２とコンテナー５を連結する他の態様も提供することができる。たとえば、カバー２１，２２はそれらが所望の長さに引っ張り出されることを保証する内側のビーズを有することができる。さらに、カバー２１，２２はついでコンテナー５と、他の布帛、たとえばスナップまたはベルクロ形態のものにより連結されることができる。
【００２１】
図７はコンテナー５の上面図であり、クラブ２がコンテナー５外縁部周囲に配置されたチューブ１０の形態中に収容されている。コンテナー５の十分な安定性と本質的なサポートを達成するために、コンテナーは上および下にフレーム３と４を有する。例示的な実施態様は環状の断面を示し、環状のフレーム３および４はそれぞれの場所に半環状の凹部２４を有し、互いに隣接してチューブ１０を配置できるようにする。コンテナー５の底部には、ベースプレート２５が提供される。さらに、図７では、任意の、プラスチック、軽金属、または他の材料で作られたマント３１が示され、これはすべての実施態様において可能である。マントは任意の所望の表面を有することができ、たとえば、テクスチャーを有する表面を有することができる。フラップ１８内には、複数のチューブ１０がフープ２８により保持され、該フラップはヒンジ１９によりフリップ様に開閉し、ロッキング機構２０によりロックされる。図７の上面図はまた、トロリーのために必要とされるリンク１４の配置を示す。バックおよびポケットがつり下げられる中間の底部に加えて、必要なゴルフ用品をコンテナー５の内部に収容するため、サスペンションデバイス３２がコンテナー５内に配置されることができる。
【００２２】
図９と９ａは、全体の電気ドライブユニットを示す。これは図１０に示すように、ガイドチューブ４７を有するホルダーチューブ４８内に挿入されることができ、ラッチ５１でコンテナー５の内部に結合される。ガイドチューブ４７の内部に、カップリング４８とケーブル４９がある。カップリング４８は図１０に示すように、プラグ５２と、それらを一緒に押すことにより連結される。ギアモーター４３は複数のガイドチューブ４７の間に、隣接して、またはその下に取り付けられる。コンタクトブラケット５４は、開口４２を介してのホルダーチューブ内への挿入の際の最終の位置と、コンテナー５の上へのユニットのしっかりとした固定を保証する。末端部品として、ハンドル／バンパー５８は安定性、および良好な操作性に寄与する。
【００２３】
図１０は、プラグ５２とケーブル５３を有するホルダーチューブ４６、ラッチ５１を示し、これは開口５０の手段により、部分的に描かれたコンテナー５の底部２５内の開口４２の手段により、電気ドライブユニットの取り付けを確実にする。
図１１は、図７と対照的に、先のとがった環状の断面図と環状の凹部を示す。テレスコーピングバーが２つのチューブを通って通過する。
【図面の簡単な説明】
【００２４】
【図１】図１と図１ａは、牽引可能なゴルフカートの側面図である。
【図２】図２と図２ａは図１に示されたゴルフカートの背面図である。
【図３】図３と図３ａはトロリーとして配置されたフープの図である。
【図４】図４はフラップ開口を有するコンテナーの上面図である。
【図５】図５と図５ａは組み立てられて輸送ユニットを形成することのできる部品の側面図である。
【図６】図６と図６ａは組み立てられた輸送ユニットの側面図と部分的な断面図である。
【図７】図７は他の例示の態様の上面図である。
【図８】図８は他の例示の態様の上面図である。
【図９】図９と図９ａは、完全な電気ドライブユニットの上面図である。
【図１０】図１０はコンテナー（５）内の電気ドライブユニットのためのホルダーチューブの上面図である。
【図１１】図１１は他の例示の態様の上面図である。
【符号の説明】
【００２５】
１  ゴルフバック
２  クラブ
３  上方底部
４  下方底部
５  コンテナー
６  内側チューブ
７  外側チューブ
８  しきり
９  小部屋
１０  チューブ
１１、１１’  フープ
１２  ホイール車軸
１３  ホイール
１４  ロッキング機構（フープ）
１５  牽引バー
１６  ハンドル
１７  ライティングパッド
１８  フラップ
１９  ヒンジ
２０  ロッキング機構
２１  カバー
２２  カバー
２３  結合
２４  凹部
２５  ベースプレート
２６  開口（クラブ）
２７、２７’  中心穴
２８  フープ（フラップ）
２９  牽引ハンドル（上部カバー）
３０  ローラー（底部カバー）
３１  マント
３２  サスペンジョンデバイス（内部）
３３  結合ヘッド
３４  ウイングナット
３５  キャリングハンドル
３６  カフ
３７  スポーク開口
３８  スタンディングフィート
３９  開口
４０  ドライブ用のホイール
４１  バッテリー
４２  電気デバイス用の開口
４３  ギアモーター
４４  電子制御部
４５  ハウジング
４６  ホルダーチューブ
４７  ガイドチューブ
４８  電子カップリング（モーターユニット）
４９  ケーブル
５０  開口（ホルダーチューブ）
５１  ラッチ
５２  プラグ
５３  ケーブル
５４  コンタクトブラケット
５５  開口（ガイドチューブ）
５６  モーターシャフト
５７  シャフトベアリング
５８  ハンドル／バンパー
５９  ロッキング機構
【国際公開パンフレット】
2004521697.tif 000003
2004521697.tif 000004
2004521697.tif 000005
2004521697.tif 000006
2004521697.tif 000007
2004521697.tif 000008
2004521697.tif 000009
2004521697.tif 000010
2004521697.tif 000011
2004521697.tif 000012
2004521697.tif 000013
2004521697.tif 000014
2004521697.tif 000015
2004521697.tif 000016
2004521697.tif 000017
2004521697.tif 000018
2004521697.tif 000019
2004521697.tif 000020
【国際公開パンフレット（コレクトバージョン）】
2004521697.tif 000021
2004521697.tif 000022
【国際公開パンフレット（コレクトバージョン）】
2004521697.tif 000023
2004521697.tif 000024
2004521697.tif 000025
2004521697.tif 000026
2004521697.tif 000027
2004521697.tif 000028
2004521697.tif 000029
2004521697.tif 000030
2004521697.tif 000031
2004521697.tif 000032
2004521697.tif 000033
2004521697.tif 000034
2004521697.tif 000035
2004521697.tif 000036
2004521697.tif 000037
2004521697.tif 000038
2004521697.tif 000039
2004521697.tif 000040
2004521697.tif 000041
【国際調査報告】
2004521697.tif 000042
2004521697.tif 000043
2004521697.tif 000044
2004521697.tif 000045
2004521697.tif 000046
2004521697.tif 000047